(57)【特許請求の範囲】
【請求項１】
穿孔機のロッド支持装置において、
穿孔軸線を中心に回転される六角形の多角形ロッドと、該多角形ロッドを前後方向へ移動可能に支持する多角形のロッド支持孔を結合時に形成する分割結合自在な複数の回転子部材を有する回転子ユニットと、該回転子ユニットを前記多角形ロッドと同軸に回転可能に支持する分割型軸受とを備える多角形ロッド支持装置であって、
前記回転子ユニットは、二つの回転子部材で構成されるとともに、これら回転子部材相互が、前後方向への相対移動に限って分割結合自在となるように正面視でその接合面が段付きとなっており、結合状態において中央に前記多角形ロッドの断面より僅かに大きい六角形のロッド支持孔が形成され、
前記分割型軸受は、結合状態の前記回転子ユニットを、前記穿孔軸線を中心とする回転運動のみを許容するように拘束することを特徴とする穿孔機の多角形ロッド支持装置。
【発明の詳細な説明】
【０００１】
【発明の属する技術分野】
本発明は、穿孔機の多角形ロッドを支持するためのロッド支持装置に関するものである。
【０００２】
【従来の技術】
穿孔機は、ガイドシェルに搭載されたさく岩機を備えており、このさく岩機に所定長のロッドを接続し、ロッド先端にはビットを取付け、さく岩機からロッドを介してビットに打撃と回転を伝達すると共に、さく岩機に送りを与えて岩盤に穿孔する。ガイドシェル上には、ロッドを穿孔軸線を中心として回転可能に、且つ前後方向へ移動可能に支持するためのロッド支持装置が設けられている。
【０００３】
穿孔機のロッドとしては、多角形の断面を有する多角形ロッドを使用することが多いが、従来の穿孔機では多角形ロッドを支持する場合でも、単純な円形のロッド支持孔を有するロッド支持装置が設けられていた。
【０００４】
【発明が解決しようとする課題】
しかし、このロッド支持装置では、回転する多角形ロッドを円形のロッド支持孔で直接支持しているため、多角形ロッドの回転により生ずるロッド支持孔の内周面と多角形ロッドの外周面との間の摩擦が大で、磨耗損傷が激しく耐久性が悪かった。また、磨耗によってロッド支持孔の内周面と多角形ロッドの外周面との間の隙間が過大となり、多角形ロッドを穿孔軸線に合わせて正確に支持できなくなるため、穿孔の位置決めが不正確となるばかりでなく、多角形ロッドの撓みによってさく岩機からビットへ伝達されるエネルギーのロスが大きくなり、穿孔機の過負荷をもたらすという問題があった。
【０００５】
本発明は、穿孔機のロッド支持装置における上記問題を解決するものであって、多角形ロッドの回転による磨耗損傷を少なくして耐久性を向上させ、多角形ロッドを長期にわたり正確に支持することのできる穿孔機の多角形ロッド支持装置を提供することを目的とする。
【０００６】
【課題を解決するための手段】
本発明では、穿孔機のロッド支持装置において、多角形ロッドを前後方向へ移動可能に支持する多角形のロッド支持孔を結合時に形成する分割結合自在な複数の回転子部材で回転子ユニットを構成し、この回転子ユニットを分割型軸受で回転可能に支持することにより上記課題を解決している。
【０００７】
この多角形ロッド支持装置は、多角形ロッドを、多角形のロッド支持孔を形成した回転子ユニットで前後方向へ移動可能に支持し、この回転子ユニットを分割型軸受で回転自在に支持しており、穿孔時に多角形ロッドに回転が与えられると、多角形ロッドを直接支持している回転子ユニットも多角形ロッドと共に回転するため、ロッド支持孔を形成する回転子ユニットの内周面と多角形ロッドの外周面との間の摩擦は、多角形ロッドの前後方向へ移動によるもののみとなり、磨耗損傷が大幅に低減され耐久性が向上する。
【０００８】
また、磨耗によってロッド支持孔を形成する回転子ユニットの内周面と多角形ロッドの外周面との間の隙間が過大となることがないため、長期にわたり多角形ロッドを穿孔軸線に合わせて正確に支持することができる。従って、正確な穿孔の位置決めが可能となり、さく岩機からビットへ伝達されるエネルギーのロスも減少する。
【０００９】
なお、回転子ユニットを分割結合自在な複数の回転子部材で構成し、この回転子ユニットを分割型軸受で支持しているので、多角形ロッドの着脱を容易に行うことができる。
特に、回転子ユニットを、前後方向への相対移動により分割結合自在な複数の回転子部材で構成すると、結合時に、各回転子部材を前後に離隔した状態でその内周面を多角形ロッドの外周面に当接させ、多角形ロッドの外周面に沿って前後方向へ相対移動させて位置決めし、分割型軸受によって前後方向への移動を規制することで、回転子ユニット自体に特別な固定機構を設けることなく簡単に一体化できる。これにより、多角形ロッドを穿孔軸線に合わせて正しく保持することができるので、穿孔時に多角形ロッドの回転によるぶれが少なくなり、安定した穿孔が可能となる。
【００１０】
【発明の実施の形態】
図１は本発明の実施の一形態である多角形ロッド支持装置を備えた穿孔機の側面図、図２は多角形ロッド支持装置の正面図、図３は多角形ロッド支持装置の側面図、図４は多角形ロッド支持装置の平面図、図５は図２のＡ−Ａ線断面図、図６はヒンジピンの装着状態の説明図である。
【００１１】
穿孔機１は、ガイドシェル２に搭載されたさく岩機３を備えており、このさく岩機３に所定長の多角形ロッド４を接続し、多角形ロッド４の先端にはビット５を取付け、さく岩機３から多角形ロッド４を介して打撃と回転をビット５に伝達すると共に、ガイドシェル２に設けられている公知の送り装置（図示略）によりさく岩機３に送りを与えて岩盤に穿孔する。なお、この穿孔機１では、断面六角形の多角形ロッド４が使用されている。
【００１２】
ガイドシェル２上には、前端部と中間部に多角形ロッド４を穿孔軸線Ｘを中心として回転可能に、且つ前後方向へ移動可能に支持するための多角形ロッド支持装置６、７が設けられている。前端部の多角形ロッド支持装置６はガイドシェル２に固定されている。中間部の多角形ロッド支持装置７は、送り装置によってさく岩機３の１／２の速度でガイドシェル２上を前後に移動するスライドベース８に固定されており、常にさく岩機３と前端部の多角形ロッド支持装置６との略中央に位置して多角形ロッド４を支持するようになっている。
【００１３】
前端部の多角形ロッド支持装置６と中間部の多角形ロッド支持装置７とは、基本的に同一構造であるので、以下前端部の多角形ロッド支持装置６について説明する。
多角形ロッド支持装置６は、多角形ロッド４を前後方向へ移動可能に支持する回転子ユニット１０と、この回転子ユニット１０を回転可能に支持する分割型軸受１１とを備えている。
【００１４】
回転子ユニット１０は、分割結合自在な回転子部材１０ａ、１０ｂで構成されていて、結合時は右上約１／４の回転子部材１０ａと残り約３／４の回転子部材１０ｂとで、外形が前後端面にフランジを有する円筒形状となり、中央に多角形ロッド４の断面より僅かに大きい六角形のロッド支持孔１２が形成されるようになっている。なお、この回転子部材１０ａと回転子部材１０ｂとは、前後方向へ相対移動させることにより正確に結合できるよう、正面視でその接合面が段付きとなっている。
【００１５】
分割型軸受１１は、下半のボデイ１４と上半のホルダ１５とに、回転子ユニット１０を支持し回転させる上下分割可能なハーフベアリング１６をそれぞれノックピン１７で取付け、ボデイ１４とホルダ１５とをヒンジピン１３で連結したものであり、ヒンジピン１３には脱落防止のための弾性体リング１９が嵌着されている。
【００１６】
ボデイ１４にはハーフベアリング１６に潤滑油を供給するための給脂ニップル１８が設けられている。
回転子ユニット１０の回転子部材１０ａ、１０ｂと、分割型軸受１１のボデイ１４及びホルダ１５との間には、回転部分への異物の侵入を防止するため、ダストシール２０が設けられている。
【００１７】
この多角形ロッド支持装置６は、回転子部材１０ａ、１０ｂを結合して組付ける場合には、回転子部材１０ａ、１０ｂを前後に離隔した状態でその内周面を多角形ロッド４の外周面に当接させ、その両方（又は一方）を多角形ロッド４の外周面に沿って前後方向へ移動させてボデイ１４上に位置決めし、ホルダ１５をヒンジピン１３でボデイ１４に取り付けることにより分割型軸受１１で前後方向への移動を規制する。従って、回転子ユニット１０は、それ自体に特別な固定機構を設けることなく簡単に一体化される。
【００１８】
これにより、多角形ロッド４を穿孔軸線Ｘに合わせて正しく保持することができるので、穿孔時に多角形ロッド４の回転によるぶれが少なくなり、安定した穿孔が可能となる。
多角形ロッド４の着脱を行う場合には、ヒンジピン１３を軽くたたいて抜き出せば、ホルダ１５と回転子部材１０ａを簡単に取り外すことができる。従って、速やかに多角形ロッド４の交換を行うことが可能で作業性もよい。
【００１９】
この多角形ロッド支持装置６、７は、多角形ロッド４を、ロッド支持孔１２を形成した回転子ユニット１０で前後方向へ移動可能に支持し、この回転子ユニット１０を分割型軸受１１で回転自在に支持しており、穿孔時に多角形ロッド４に回転が与えられると、多角形ロッド４を直接支持している回転子ユニット１０も多角形ロッド４と共に回転するため、ロッド支持孔１２の内周面と多角形ロッド４の外周面との間の摩擦は、多角形ロッド４の前後方向への移動によるもののみとなり、磨耗損傷が大幅に低減され耐久性が向上する。
【００２０】
また、磨耗によってロッド支持孔１２の内周面と多角形ロッド４の外周面との間の隙間が過大となることがなく、長期にわたり多角形ロッド４を穿孔軸線Ｘに合わせて正確に支持することができる。従って、正確な穿孔の位置決めが可能となり、さく岩機３からビット５へ伝達されるエネルギーのロスも減少する。
【００２１】
【発明の効果】
本発明の穿孔機の多角形ロッド支持装置は、多角形ロッドの回転による磨耗損傷を少なくして耐久性を向上させ、多角形ロッドを長期にわたり正確に支持することができる。
【図面の簡単な説明】
【図１】本発明の実施の一形態である多角形ロッド支持装置を備えた穿孔機の側面図である。
【図２】多角形ロッド支持装置の正面図である。
【図３】多角形ロッド支持装置の側面図である。
【図４】多角形ロッド支持装置の平面図である。
【図５】図２のＡ−Ａ線断面図である。
【図６】ヒンジピンの装着状態の説明図である。
【符号の説明】
１      穿孔機
２      ガイドシェル
３      さく岩機
４      多角形ロッド
５      ビット
６      多角形ロッド支持装置
７      多角形ロッド支持装置
８      スライドベース
１０    回転子ユニット
１０ａ、１０ｂ    回転子部材
１１    分割型軸受
１２    ロッド支持孔
１３    ヒンジピン
１４    ボデイ
１５    ホルダ
１６    ハーフベアリング
１７    ノックピン
１８    給脂ニップル
１９    弾性体リング
２０    ダストシール
Ｘ      穿孔軸線
【図１】
0004885382.tif 000002
【図２】
0004885382.tif 000003
【図３】
0004885382.tif 000004
【図４】
0004885382.tif 000005
【図５】
0004885382.tif 000006
【図６】
0004885382.tif 000007